(57)【特許請求の範囲】
【請求項１】
グリル庫の前面開口に設けられ支軸を支点として上下方向に回動して片開き状に開閉するグリル扉と、該グリル庫内を進退方向にスライドして該グリル庫に出し入れする受皿と、該受皿の進退動作と該グリル扉の開閉動作とを連動させる連結部材と、該グリル扉を開方向に付勢する付勢手段と、上記グリル扉の開方向への回動速度を遅らせる速度調節装置とを有し、該グリル扉の閉状態からの開方向への回動初期においては、該速度調節装置が動作しないようにしたグリル扉の開閉装置を有するグリルにおいて、
上記速度調節装置は、先端に傘状の弾性体を備えたピストンとシリンダーとで構成され、該シリンダーの該ピストンで区画される少なくとも一室側を密閉構造とすると共に、該ピストンが摺動するのにともない流体が該密閉構造とした一室からの流入出を制限する細孔を備えており、
上記ピストンの軸には、上記グリル扉の閉状態からの開方向への回動初期において上記連結部材が所定ストローク移動したところで該連結部材と係合する係合部材が設けられ、
上記連結部材と上記係合部材とが係合することにより、上記付勢手段による上記グリル扉の開方向への付勢力に対して抵抗を与えるように、上記ピストンの動きが連動させられることを特徴とするグリル。
【請求項２】
上記速度調節装置は、上記グリル扉の閉方向への回動動作に比べて開方向への回動動作に対して大きい制動力を与えることを特徴とする請求項１記載のグリル。
【請求項３】
グリル庫の前面開口に設けられ支軸を支点として上下方向に回動して片開き状に開閉するグリル扉と、該グリル庫内を進退方向にスライドして該グリル庫に出し入れする受皿と、該受皿の進退動作と該グリル扉の開閉動作とを連動させる連結部材と、該グリル扉を開方向に付勢する付勢手段と、上記グリル扉の開方向への回動速度を遅らせる速度調節装置とを有し、該グリル扉の閉状態からの開方向への回動初期においては、該速度調節装置が動作しないようにしたグリル扉の開閉装置を有するグリルにおいて、
上記速度調節装置は、筒体と該筒体内を摺動するスピンドルとにより構成され、該筒体と該スピンドルとの摺動面に粘着用グリスを塗布しており、
上記スピンドルには、上記グリル扉の閉状態からの開方向への回動初期において上記連結部材が所定ストローク移動したところで該連結部材と係合する係合部材が設けられ、
上記連結部材と上記係合部材とが係合することにより、上記付勢手段による上記グリル扉の開方向への付勢力に対して抵抗を与えるように、上記スピンドルの動きが連動させられることを特徴とするグリル。
【発明の詳細な説明】
【０００１】
【発明の属する技術分野】
本発明は、グリル庫内で魚等の被調理物を加熱調理するグリルに設けられたグリル扉の開閉装置に関する。
【０００２】
【従来の技術】
従来より、ガステーブルこんろにおいては、中央部に魚等の被調理物を加熱調理できるグリルを備え、被調理物を焼網に載せたまま受皿を手前にスライドさせると、それに伴いグリルの扉が自動的に上に跳ね上がり扉がじゃまにならず容易に被調理物を取り出すことができるタイプのものが知られている。
例えば、このようなグリルとしては、図１０，図１１，図１２に示すようなものが知られている。このグリル１０１は、被調理物を載せる焼網２と、焼網２を載せたまま手前にスライドさせて引出す受皿３と、ガスを燃焼させて被調理物を加熱するバーナ４と、これらを収めるグリル庫５等から構成される。グリル庫５は、その前面開口側壁７にグリル扉８を備える。また、受皿３の前部には、取手９が取付板１０を介して一体に固定されている。
グリル扉８の内側には、略Ｌ字状の連結部１１が両サイドに固定され、連結部１１の一端には連結部１１の回動支点となる支軸１２が、他端には軸孔１３が設けられる。支軸１２は、前面開口側壁７に軸止され、軸孔１３には、受皿３の進退動作とグリル扉８の開閉動作とを連動させる略くの字状の連動腕１４の先端部が挿通される。連動腕１４は、その先端部に球状の突起が外側面に設けられ、この突起が軸孔１３に挿通されることで連結部１１に回動可能に連結される。また、連結腕１４の基端部は下方に向けて曲折される。
【０００３】
グリル庫５の左右両側壁５ｂの後方下部には、受皿３の進退移動方向に延びる長溝孔１６が開設され、左右の長溝孔１６に受皿３の奥行壁外面に当接される連結バー１７の両端部が遊挿される。この連結バー１７の両端部は、グリル庫５の左右の側壁５ｂの外側に設けられた連結腕１４の基端部にそれぞれ挿通され連結される。
さらに連結バー１７の両端部にそれぞれ一端を止着した引っ張りバネ１８の他端をグリル庫側壁５ｂの手前部に突設した掛止ピン１９に係止させることにより、連動腕１４と連結バー１７とは常時受皿３の前進方向（手前側方向）へ押出付勢されている。グリル庫５入口の底壁５ａには、引っ張りバネ１８の付勢力により受皿３が手前に飛び出すのを規制し収納位置を確定する突起状のストッパー２０が設けられる。
引っ張りバネ１８は、受皿３が手前に引き出されグリル扉８を支軸１２を回転の支点として上方向へ跳ね上げた時、グリル扉８が下方向へ戻って閉じてしまうのを防ぎそのまま保持するだけの力が必要である。そのため、受皿３が所定位置まで引き出された地点で、所定力（グリル扉８の自重による荷重力以上）付勢しているように設計される。
こうした構成により、受皿３は、底壁５ａに沿ってスライドし、それに伴ってグリル扉８が自動的に開閉するので、被調理物のグリル庫５への出し入れが容易にできるというものである。
【０００４】
【発明が解決しようとする課題】
しかしながら、一旦、受皿３にストッパー２０の係止力に打ち勝つだけの力を与えて収納位置から手前にすばやく引き出すと、グリル扉８が引っ張りバネ１８によって跳ね上げ方向に付勢されているので、グリル扉８は、勢い良く跳ね上がってしまい、器具本体と衝突して不快な衝突音を発生し使用感が悪いといった問題があった。
本発明のグリルは上記課題を解決し、グリル扉を開ける時に不快な衝突音が生じるのを防止して、使用感を良くすることを目的とする。
【０００５】
【課題を解決するための手段】
上記課題を解決する本発明の請求項１記載のグリルは、
グリル庫の前面開口に設けられ支軸を支点として上下方向に回動して片開き状に開閉するグリル扉と、該グリル庫内を進退方向にスライドして該グリル庫に出し入れする受皿と、該受皿の進退動作と該グリル扉の開閉動作とを連動させる連結部材と、該グリル扉を開方向に付勢する付勢手段と、上記グリル扉の開方向への回動速度を遅らせる速度調節装置とを有し、該グリル扉の閉状態からの開方向への回動初期においては、該速度調節装置が動作しないようにしたグリル扉の開閉装置を有するグリルにおいて、
上記速度調節装置は、先端に傘状の弾性体を備えたピストンとシリンダーとで構成され、該シリンダーの該ピストンで区画される少なくとも一室側を密閉構造とすると共に、該ピストンが摺動するのにともない流体が該密閉構造とした一室からの流入出を制限する細孔を備えており、
上記ピストンの軸には、上記グリル扉の閉状態からの開方向への回動初期において上記連結部材が所定ストローク移動したところで該連結部材と係合する係合部材が設けられ、
上記連結部材と上記係合部材とが係合することにより、上記付勢手段による上記グリル扉の開方向への付勢力に対して抵抗を与えるように、上記ピストンの動きが連動させられることを要旨とする。
【０００６】
また、本発明の請求項２記載のグリルは、上記請求項１記載のグリルにおいて、
上記速度調節装置は、上記グリル扉の閉方向への回動動作に比べて開方向への回動動作に対して大きい制動力を与えることを要旨とする。
【０００７】
また、本発明の請求項３記載のグリルは、
グリル庫の前面開口に設けられ支軸を支点として上下方向に回動して片開き状に開閉するグリル扉と、該グリル庫内を進退方向にスライドして該グリル庫に出し入れする受皿と、該受皿の進退動作と該グリル扉の開閉動作とを連動させる連結部材と、該グリル扉を開方向に付勢する付勢手段と、上記グリル扉の開方向への回動速度を遅らせる速度調節装置とを有し、該グリル扉の閉状態からの開方向への回動初期においては、該速度調節装置が動作しないようにしたグリル扉の開閉装置を有するグリルにおいて、
上記速度調節装置は、筒体と該筒体内を摺動するスピンドルとにより構成され、該筒体と該スピンドルとの摺動面に粘着用グリスを塗布しており、
上記スピンドルには、上記グリル扉の閉状態からの開方向への回動初期において上記連結部材が所定ストローク移動したところで該連結部材と係合する係合部材が設けられ、
上記連結部材と上記係合部材とが係合することにより、上記付勢手段による上記グリル扉の開方向への付勢力に対して抵抗を与えるように、上記スピンドルの動きが連動させられることを要旨とする。
【０００９】
上記構成を有する本発明の請求項１記載のグリルは、受皿をスライドさせてグリル庫より出し入れする際、受皿のスライドに連動して連結部材がグリル扉を開閉する。しかも、付勢手段がグリル扉を開方向に付勢しているため、グリル扉は、グリル皿の動きに同調して自動的に開放される。この際、受皿をすばやく引き出すと、グリル扉は、開方向に付勢されているために勢い良く回動しようとするが、速度調節装置が開方向への回動速度を遅らせるので、グリル扉はゆっくりと開く。このため、グリル扉が勢い良く開方向に回動して器具本体に衝突してしまうことを防止できるので、不快な衝突音が発生することはない。
【００１０】
ところで、速度調節装置によってグリル扉の開方向への回動速度があまりに遅らされたり、受皿をすばやく引き出そうとすると、グリル扉がまだグリル庫の前面開口を閉じている状態で、受皿が前面開口に到達してしまい受皿や受皿の上に載置される被調理物がグリル扉と衝突するおそれがある。
そこで、本発明では、グリル扉の開方向への回動初期においては、速度調節装置を動作させず、グリル扉をすばやく回動させることにより、受皿をすばやく引き出しても上述したような不具合が生じないようにしている。
【００１１】
しかも、本発明の請求項１記載のグリルは、先端の傘状の弾性体が開く方向にピストンをシリンダー内で動かそうとすると、傘状の弾性体が開いて弾性体とシリンダーの内面が密着し、シリンダーとピストンとで区画される少なくとも一室側が密閉構造であるために、この密閉構造とした一室からは、細孔を介してしか流体は流入出できないのでピストンの動きに対して大きな抵抗が生じる。この抵抗は、流体の流入出を制限する細孔の面積によって決まる。従って、グリル扉を開方向に付勢する付勢手段の付勢力に対して抵抗を与えるように、傘状の弾性体が開く方向のピストンの動きを連動させておくと、ピストンを動かすための抵抗により、グリル扉は、ゆっくりと開く。よって、グリル扉が器具本体にぶつかることによる不快な衝突音の発生を防止できる。この時のグリル扉の回動速度は、ピストンを動かすための抵抗、すなわち細孔の面積によって決まる。しかも、ピストンは、連結部材と係合部材とが係合した後にしか動かないので、連結部材と係合部材とが係合する前、すなわちグリル扉の閉状態からの開方向への回動初期においては、グリル扉をすばやく回動させることができる。また、傘状の弾性体が閉まる方向にピストンを動かす場合には、流体は細孔だけではなく、弾性体とシリンダーとの間も通って流れるために、ピストンを動かすための抵抗はほとんど生じないので、グリル扉の閉方向への回動はスムーズにすばやく行うことができる。
【００１２】
また、本発明の請求項２記載のグリルは、速度調節装置がグリル扉の閉方向への回動動作に対しては、制動力を与えないあるいは小さな制動力しか与えないので、グリル扉の閉方向への回動をスムーズにすばやく行うことができる。
【００１３】
また、本発明の請求項３記載のグリルは、筒体とスピンドルとの摺動面に粘着用グリスが塗布されており、その粘着性によって筒体とスピンドルとの間の抵抗が増すので、グリル扉を開方向に付勢する付勢手段の付勢力に対して抵抗を与えるように、スピンドルの動きを連動させておくと、その大きな抵抗によって、グリル扉は、ゆっくりとしか開かない。よって、グリル扉が器具本体にぶつかることによる不快な衝突音の発生を防止できる。しかも、スピンドルは、連結部材と係合部材とが係合した後にしか動かないので、連結部材と係合部材とが係合する前、すなわちグリル扉の閉状態からの開方向への回動初期においては、グリル扉をすばやく回動させることができる。
【００１４】
【発明の実施の形態】
以上説明した本発明の構成・作用を一層明らかにするために、以下本発明のグリルの好適な実施形態について図１〜図９を用いて説明する。図１〜図４は、本実施形態のグリルの概略構成図であり、図１はグリル扉が閉状態のときの側面図、図２はグリル扉が所定角度だけ開いたときの側面図、図３はグリル扉が全開状態のときの側面図、図４は上面図である。
尚、本実施形態のグリル１は、先に説明した従来のグリル１０１とは、グリル扉８の開方向への回動速度を遅らせる速度調節装置３０を設けた点のみが異なるので、重複を避けるため、同一部分の構成については同一符号を付し詳しい説明は省略する。
【００１５】
グリル１のグリル扉８の内側には、略Ｌ字状の連結部１１が両サイドに固定され、連結部１１の一端には連結部１１の回動支点となる支軸１２が設けられる。この支軸１２は、前面開口側壁７に軸止されており、グリル扉８は、支軸１２を支点として上下方向へ片開き状に一定の角度だけ回動できるようになっている。尚、図１に示すように、グリル扉８の全閉時（受皿３の収納時）には、グリル扉８の下端部が前記取手９に設けた突板２１に係合されてグリル庫５の前面開口２２を隙間のないよう確実に閉塞し、図３に示すように、グリル扉８の全開時（受皿３の引き出し時）にはその係合が外れてグリル扉８の開放が何ら支障なく行えるようになっている。
【００１６】
連結部１１の他端には、軸孔１３が設けられ、この軸孔１３には、受皿３の進退動作とグリル扉８の開閉動作とを連動させる略くの字状の連動腕１４の先端部が挿通される。連動腕１４は、その先端部に球状の突起が外側面に設けられ、この突起が軸孔１３に挿通されることで連結部１１に回動可能に連結される。また、連結腕１４の基端部は下方に向けて曲折される。
そして、グリル庫５の左右両側壁５ｂの後方下部には、受皿３の進退移動方向に延びる長溝孔１６が開設され、左右の長溝孔１６に受皿３の奥行壁外面に当接される連結バー１７の両端部が遊挿される。この連結バー１７の両端部は、グリル庫５の左右の側壁５ｂの外側に設けられた連結腕１４の基端部にそれぞれ挿通され連結される。
さらに連結バー１７の両端部にそれぞれ一端を止着した引っ張りバネ１８の他端をグリル庫側壁５ｂの手前部に突設した掛止ピン１９に係止させることにより、連動腕１４と連結バー１７とは常時受皿３の前進方向へ押出付勢されている。
また、グリル庫５入口の底壁５ａには、引っ張りバネ１８の付勢力により受皿３が収納状態から手前に飛び出すことを規制し収納位置を確定する突起状のストッパー２０が設けられる。
【００１７】
連結バー１７の片方の端部には、グリル扉８の開方向への回動速度を遅らせる速度調節装置３０（後述）のピストン３１の軸を進退作動させるＬ字状の進退板４１が取り付けられる。連結バー１７は、進退板４１と連動腕１４を重ね合わせて挿通する。そして、進退板４１と連動腕１４の左右両側から止具で挟みこむことにより、進退板４１と連結腕１４とは連結バー１７と固定される。
そして、ピストン３１の軸の基端部及び基端部から所定距離離れた部位には、図５に示すように、円盤状の基端止片３１ａ及び中間止片３１ｂが設けられる。進退板４１は、一辺を連結バー１７に固定され、もう一辺にピストン３１の軸を貫通させるための横長な切込部４１ａが設けられる。そして、ピストン３１の軸は、基端止片３１ａと中間止片３１ｂとの間の基端軸部３１ｃが、横方向から切込部４１ａに挿入される。ピストン３１の軸と進退板４１とは固着されるものではなく、切込部４１ａの縦方向の長さはピストン３１の軸の直径よりも若干大きめに形成されているので、進退板４１は基端止片３１ａと中間止片３１ｂとの間で自由な位置を取ることができる。
また、速度調節装置３０は、グリル庫５の底壁５ａに設けられた止壁４４にネジ止めすることにより、グリル庫５内に固定される。
【００１８】
以下、速度調節装置３０について詳述する。
図６に示すように、速度調節装置３０は、ピストン３１とシリンダー３２とを備える。ピストン３１の先端は、傘状のゴム体３３であり、ピストン３１の軸の先端には、シリンダー３２のピストン３１で区画される両室間を連通するオリフィス３４が設けられる。シリンダー３２の先端には、Ｏリング３７を介して蓋体３６が嵌め込まれ、この蓋体３６とゴム体３３との間に密閉室３５が形成される。
シリンダー３２の基端には、中心にピストン３１の軸より少し大きな軸穴３９が開口された軸枠４０が、その軸穴３９にピストン３１の軸を貫通させて嵌め込まれ軸枠４０とゴム体３３との間に開放室３８が形成される。このため、ピストン３１の軸の動きは、図面中の左右の直線方向のみに規制される。尚、ピストン３１の軸は、中間止片３１ｂよりも先端側で軸穴３９に挿通される。
【００１９】
次に、この速度調節装置３０の作動原理について説明する。
ピストン３１を図左方向に動かす場合、ピストン３１の先端の傘状のゴム体３３が左に動くと傘が開いてシリンダー３２の内壁面と密着するため、密閉室３５と開放室３８間を空気は、軸に設けたオリフィス３４を介してのみしか通過できないので、ピストン３１の左方向の動きに対しては大きな抵抗が生じる。また、この時の抵抗は、オリフィス３４径によって決められるものである。
従って、ピストン３１に取り付けられた連動腕１４を介して引っ張りバネ１８の復元力によりピストン３１を左方向に動かそうとすると、この大きな抵抗のために引っ張りバネ１８の弾性変形は、ゆっくりとしか元の形に戻れず、連動腕１４もゆっくりとしか動かない。
【００２０】
一方、ピストン３１を図右方向に動かす場合、傘状のゴム体３３が図右に動くと傘が閉じてシリンダー３２の内壁面とゴム体３３との間にすきまができる。このため、密閉室３５と開放室３８間を空気は、このすきまを通って自由に通過することができるため、ピストン３１が右に動く場合にはほとんど抵抗は生じない。従って、ピストン３１に取り付けられた連動腕１４を介してピストン３１を右側へ移動させようとする場合には、特別な抵抗を感じることなくスムーズに移動させることができる。
また、グリル扉８が閉まっているときは、図１に示すように、進退板４１が中間止片３１ｂと接している状態であり、グリル扉８が開いているときは、図３に示すように、進退板４１が基端止片３１ａと接している状態となるように速度調節装置３０は設けられる。
【００２１】
このように構成されたグリル１によれば、取手９を握って受皿３をグリル庫５より引き出すとき（図１→図２→図３）には、引っ張りバネ１８により手前側方向に付勢されている連結バー１７が受皿３と共に長溝孔１６内を所定ストロークだけ前進し、連動腕１４も前進動してグリル扉８を全開位置までもっていく。この際、受皿３をすばやく引き出すと、グリル扉８が連動腕１４を介して引っ張りバネ１８の復元力で開方向に付勢されているために、グリル扉８は勢い良く回動しようとする。
ところが、連動腕１４に速度調節装置３０のピストン３１が取り付けられ、図左方向の動きに対しては途中から大きな抵抗がかかるので、引っ張りバネ１８はゆっくりとしか弾性変形できず、連結バー１７が引き出し速度に追従できないためにグリル扉８もゆっくりとしか回動しない。
【００２２】
連動腕１４が一番奥（図右方向）に位置している状態（図１）、すなわちグリル扉８の閉状態から、手前（図左方向）に動き出す初期段階（図１→図２）では、進退板４１が中間止片３１ｂと基端止片３１ａとの間（いわゆる、遊びのストローク）を移動するだけであるからピストン３１は動かず、速度調節装置３０も機能しない。このため、グリル扉８回動初期においては、グリル扉８はすばやく回動する。
そして、進退板４１が基端止片３１ａと接した後に、さらに手前に動こうとすると（図２→図３）、進退板４１によって基端止片３１ａが押される、すなわちピストン３１が図左方向に押されることになり、速度調節装置３０が機能する。言い替えれば、グリル扉８が閉状態から所定角度θ（好ましくは２０°〜２５°）回動するまでは、速度調節装置３０による制動力がグリル扉８の開動作、すなわち、連動腕１４を介しての引っ張りバネ１８の復元力には加わらない。そして、グリル扉８はそのまま開動作し、所定角度θまで開くと進退板４１が基端止片３１ａに当接して、その後は速度調節装置３０による制動力が加わる。
【００２３】
このため、グリル扉８は開方向への回動の途中からはゆっくりとしか回動せず、勢い良く開くことはない。従って、グリル扉８と器具本体が衝突して不快な衝突音が生じることを防止できる。しかも、回動初期においては、速度調節装置３０が動作しないので、すばやく回動させることができる。このため、受皿３をすばやく引き出しても、受皿３や被調理物がグリル扉８と接触することを防止でき、受皿３をスムーズに取りだすことができる。
【００２４】
逆に、取手９をにぎって受皿３をグリル庫５内へ収める時（図３→図１）には、受皿３がグリル庫５内へ送入されていく途中でこの受皿３の奥行壁面に連結バー１７が当接し、その後一体となって引っ張りバネ１８の付勢力に抗して後退させられるので、その連結バー１７の後退動に伴って連動腕１４も後退動する。このためにグリル扉８は支軸１２を支点として回動し、受皿３がグリル庫５内に収められると同時にグリル扉８もグリル庫５の開口部に閉じられる。
このとき、連動腕１４に取り付けられた速度調節装置３０のピストン３１も図右方向に動かされるが、右方向に動く場合は、ほとんど抵抗が生じないので、受皿３を収納するのに対して余分な力を必要とせず従来通りスムーズに行うことができ使い勝手が良い。言い替えれば、グリル扉８の閉方向への回動に対しては、制動力は非常に小さい。尚、グリル扉８の閉方向への回動初期においては、進退板４１が基端止片３１ａから中間止片３１ｂの間を動きピストン３１が動かないので、受皿３を収納するのに対して余分な力を全く必要としない。
また、受皿３がグリル庫５内の所定位置に収納されると、受皿３はその前面壁がストッパー２０により係止され、不用意な抜脱が規制された状態でグリル庫５内に納められる。
【００２５】
以上本発明の実施形態について説明したが、本発明はこうした実施形態に何等限定されるものではなく、本発明の要旨を逸脱しない範囲において、種々なる態様で実施し得ることは勿論である。
例えば、本実施形態の速度調節装置３０では、ピストン３１の軸の先端にオリフィス３４を設けて密閉室３５内の空気が移動できるようにしているが、図７に示すように、オリフィス３４を設けずに蓋体３６に細孔４３を設けるような構成にしても構わない。この場合にも、ピストン３１を図左方向に動かす際には、密閉室３５内へは、空気は細孔４３を介してしか移動できないために、ピストン３１を左方向に動かす抵抗が増すので、グリル扉８が勢い良く開方向に回動することを防止できる。ピストン３１を右方向に動かす際には、密閉室３５内の空気は、シリンダー３２の内壁面とゴム体３３のすきまを介しても移動することができるため、ピストン３１が右に動く場合にはほとんど抵抗を生じない。
また、図８に示すように、オリフィス３４と細孔４３とを両方同時に設けておいても構わない。この場合にも、ピストン３１を左側に動かす際には、密閉室３５内へは、空気はオリフィス３４と細孔４３を介してしか移動できないので大きな抵抗がかかり、ピストン３１を右側に動かす際には、密閉室３５内の空気はシリンダー３２の内壁面とゴム体３３のすきまを介しても移動することができるのでほとんど抵抗は生じない。
【００２６】
また、本実施形態では、速度調節装置３０をシリンダー３２とピストン３１により構成したが、図９に示すように、筒体５１とその筒体５１内を摺動するスピンドル５２とによって構成して、その摺動面５３に粘着用グリスを塗布したものであってもかまわない。
この場合には、粘着用グリスの粘着性によって筒体５１とスピンドル５２との間の抵抗が増すので、連動腕１４にピストン３１を取り付けたのと同様な方法で連動腕１４にスピンドル５２を取り付ければ、連動腕１４の進退移動に対する抵抗が増すので、引っ張りバネ１８がゆっくりと弾性変形するために、グリル扉８が勢い良く開方向に回動することを防止でき、不快な衝突音が生じることを防ぐことができると共に、回動初期においてはすばやく回動させることができ、受皿３や被調理物がグリル扉８と接触することを防止できるので、受皿３をスムーズに取りだすことができる。
【００２７】
【発明の効果】
以上詳述したように、本発明の請求項１記載のグリルによれば、グリル扉は、付勢手段の付勢力によって勢い良く回動して開こうとするが、速度調節装置が開方向への回動速度を遅らせるので、グリル扉はゆっくりと開く。このため、グリル扉が勢い良く開方向に回動して器具本体に衝突してしまうことを防止できるので、不快な衝突音が発生することがなくなり使用感が向上する。
しかも、グリル扉の開方向への回動初期においては、速度調節装置が動作しないので、グリル扉は所定角度まですばやく回動するため、受皿をすばやく引き出しても、グリル扉が受皿や調理物に当たってしまうという不具合もなく、受皿をスムーズに引き出すことができる。
また、本発明の請求項１記載のグリルによれば、ピストンとシリンダーという簡単な構成で安価に速度調節装置を作製することができるので、製造コストを抑えることができる。
【００２８】
また、本発明の請求項２記載のグリルによれば、受皿を収納するのに対して余分な力を必要とせず従来通りスムーズに行うことができ使い勝手が良い。
【００２９】
また、本発明の請求項３記載のグリルによれば、筒体とスピンドルという簡単な構成で安価に速度調節装置を作製することができるので、製造コストを抑えることができる。
【図面の簡単な説明】
【図１】本実施形態としてのグリルの概略構成図（側面図）である。
【図２】本実施形態としてのグリルの概略構成図（側面図）である。
【図３】本実施形態としてのグリルの概略構成図（側面図）である。
【図４】本実施形態としてのグリルの概略構成図（上面図）である。
【図５】速度調節装置のピストンを進退板の切込部に挿入する説明図である。
【図６】本実施形態としての速度調節装置を側面からみた断面図である。
【図７】別の実施形態としての速度調節装置を側面からみた断面図である。
【図８】別の実施形態としての速度調節装置を側面からみた断面図である。
【図９】別の実施形態としての速度調節装置を側面からみた断面図である。
【図１０】従来例としてのグリルの概略構成図（側面図）である。
【図１１】従来例としてのグリルの概略構成図（上面図）である。
【図１２】従来例としてのグリルの概略構成図（正面図）である。
【符号の説明】
１…グリル、３…受皿、５…グリル庫、８…グリル扉、１２…支軸、１４…連動腕、１７…連結バー、１８…引っ張りバネ、２２…前面開口、３０…速度調節装置、３１…ピストン、３１ａ…基端止片、３１ｂ…基端止片、３１ｃ…基端軸部、３２…シリンダー、３３…ゴム体、３４…オリフィス、３５…密閉室、３８…開放室、４１…進退板、４１ａ…切込部、４３…細孔、５１…筒体、５２…スピンドル、５３…摺動面。
【図１】
0003932261.tif 000002
【図２】
0003932261.tif 000003
【図３】
0003932261.tif 000004
【図４】
0003932261.tif 000005
【図５】
0003932261.tif 000006
【図６】
0003932261.tif 000007
【図７】
0003932261.tif 000008
【図８】
0003932261.tif 000009
【図９】
0003932261.tif 000010
【図１０】
0003932261.tif 000011
【図１１】
0003932261.tif 000012
【図１２】
0003932261.tif 000013